Podtech/llm-jp-corpus-v4-ja_patent huggingface dataset:
(57)【要約】  ホッパ（４０）と、被印刷製品（２０）を搬送するための丁合コンベヤ（３０）と、被印刷製品（２０）に接触するための、丁合コンベヤ（３０）の側部に取り付けられた湾曲したコーム（１２）とを有する丁合い機（１０）が提供される。中とじ機も提供される。
2010501370.tif 000002
【特許請求の範囲】
【請求項１】
丁合い機において、
ホッパと、被印刷製品を搬送するための丁合いコンベヤと、
被印刷製品に接触するための、丁合コンベヤの側部に取り付けられた湾曲したコームとが設けられていることを特徴とする、丁合い機。
【請求項２】
丁合い機が中とじ機である、請求項１記載の丁合い機。
【請求項３】
コームが薄板金片である、請求項１記載の丁合い機。
【請求項４】
コームが、彫刻されたパターン又は表面模様パターンを有する薄板金である、請求項３記載の丁合い機。
【請求項５】
コームが枢軸に固定されている、請求項１記載の丁合い機。
【請求項６】
コームが、コームが丁合コンベヤにおける被印刷製品と接触する角度を変化させるように調整可能である、請求項５記載の丁合い機。
【請求項７】
前記角度が０゜〜９０゜である、請求項６記載の丁合い機。
【請求項８】
コームがガイドの端部に取り付けられている、請求項１記載の丁合い機。
【請求項９】
丁合コンベヤの反対側に取り付けられた別の湾曲したコームが設けられている、請求項１記載の丁合い機。
【請求項１０】
丁合い機が丁合チェーンである、請求項１記載の丁合い機。
【請求項１１】
コームが、案内ラインを受容するための穴を有する、請求項１記載の丁合い機。
【請求項１２】
中とじ機において、
被印刷製品を搬送するための丁合コンベヤと、
ホッパと、
丁合コンベヤの側部に取り付けられた湾曲したコームとが設けられており、該コームが、コームが丁合コンベヤにおける被印刷製品と接触する角度を変化させるように調整可能であることを特徴とする、中とじ機。
【発明の詳細な説明】
【技術分野】
【０００１】
本願は、２００６年８月１８日に出願され、引用により本明細書に記載されたこととされる米国特許仮出願第６０／８３８６５９号明細書の利益を請求する。
【背景技術】
【０００２】
無線とじ機、中とじ機及びメールインサータ等の丁合い機はシート材料を収集するためにホッパ又はフィーダを使用することができる。中とじ機又は無線とじ機は例えば、ホッパ又はフィーダから中とじ機又は無線とじ機にそれぞれ供給された折り畳まれた被印刷材料を収集し、雑誌又はその他の被印刷製品を形成する。本願の文脈において、ホッパ及びフィーダという用語は同義語として使用される。
【０００３】
米国特許第６１８６４８９号明細書は、テープ駆動装置と、逸らせ胴及び／又は減速ドラムとの間に設けられた案内機構を開示している。案内機構は、引渡し機構の間のあらゆる間隙を横切って、折り畳まれた折丁の開放縁部が引渡し機構から離れるように移動するのを制限し、これにより、折り畳まれた折丁又は本が引渡し機構の間を引き渡される時に開放縁部の端折れを防止する。
【０００４】
米国特許出願公開第２００４／０１２６１６３号明細書は、評判によれば、対応するねじによって前側プレートと後側プレートとにそれぞれ固定された１対の案内軸と、前側プレートと後側プレートとの間に固定された１対のステーとを有する綴じ機を開示しており、ステッチャ及び締付け装置は案内軸に長手方向に可動に支持されており、枚葉紙の束を綴じるための綴じ区分が、ステッチャと締付け装置との間に配置されている。
【０００５】
発明の概要
本発明の実施形態によれば、丁合い機は、ホッパと、被印刷製品を搬送するための丁合いコンベヤとを有している。丁合いコンベヤの側部に取り付けられた、湾曲したコームは、被印刷製品に接触するために設けられている。
【０００６】
本発明の別の実施形態によれば、中とじ機は、被印刷製品を搬送するための丁合いコンベヤと、ホッパとを有している。丁合いコンベヤの側部に取り付けられた、湾曲したコームが設けられている。コームは、丁合コンベヤにおいてコームが被印刷製品に接触する角度を変化させるように調整可能である。
【０００７】
本発明の好適な実施形態が図面を参照して説明される。
【図面の簡単な説明】
【０００８】
【図１Ａ】本発明による中とじ機の区分の上面図を示している。
【図１Ｂ】図１の実施形態の正面図を示している。
【図２】図１Ｂの拡大図、コームを示している。
【０００９】
詳細な説明
現在の本ガイドは、例えば黄銅バーから成る。黄銅バーは、２分の１平方インチであり、丁合コンベヤにおいてシート又は本等の被印刷製品を案内するための、曲げられた前縁を有する。高速丁合い機、例えば高速中とじ機において、本又はシート材料の角は、丁合い機において折れ曲がり、本ガイドに引っ掛かることがある。印刷産業において、これは"端折れ"として知られている。
【００１０】
図１Ａ及び１Ｂは、本発明の実施形態による丁合い機、例えば中とじ機１０を示している。中とじ機１０は、製品、例えば本２０を方向Ｘに搬送する。中とじ機１０は、ホッパ４０と、コーム１２と、丁合コンベヤ、例えば丁合チェーン３０とを有している。コーム１２は、丁合チェーン３０の側部に配置されている。コーム１２は本ガイド１４の端部に取り付けられている。コーム１２は、例えば、成形された薄板金片であることができる。コーム２は、Rigidized Metals Corp.のRIGITEX薄板金、又はその他の表面模様を有する又は彫刻された薄板金から形成されることができる。その他の適切な材料が使用されることもできる。
【００１１】
図２に示されているように、コーム１２は湾曲しており、枢軸１６に固定されており、コーム１２は０゜〜９０゜の角度Ａだけ回動することができる。コームは、丁合チェーン３０に対して、上下に、及び内方及び外方に、すなわち図２の紙面に対して前後に、調整されることもできる。
【００１２】
本２０全体が本ガイド１４の下方でかつ丁合チェーン３０に沿って移動することを保証するために、本２０における端折れは開かれることができる。
【００１３】
コーム１２は、本ガイド１４′の前等の、上流の別の領域に取り付けられていることができる（図１Ｂ）。コームは、丁合チェーン３０に沿った移行領域に配置されることもできる。さらに、コーム１２は、ナイロン案内ラインが取り付けられるようにするための穴を有することもできる。
【００１４】
すなわち、コーム１２は、紙詰まりを低減し、本の品質を向上させ、ナイロン案内ラインのためのより優れた取付け及び制御を提供する。
【００１５】
以上において、発明は、発明の特定の典型的な実施形態及び実施例に関連して説明沙汰。しかしながら、請求の範囲に示されているような発明のより広い精神及び範囲から逸脱することなくそれらに様々な変更が加えられることができることは明らかである。明細書及び図面はしたがって、限定的な意味ではなく例示的な意味で見なされるべきである。
【符号の説明】
【００１６】
１０  中とじ機、  １２  コーム、  １４  本ガイド、  １６  枢軸、  ２０  本、  ３０  チェーン、  ４０  ホッパ
【図１Ａ】
2010501370.tif 000003
【図１Ｂ】
2010501370.tif 000004
【図２】
2010501370.tif 000005
【国際調査報告】
2010501370.tif 000006
(57)【要約】  変位可能に装架された少なくとも一つのロック要素（７，７’）と該ロック要素（７，７’）を作動させる作動要素（２）を有するロックおよびアンロック装置（１）に関する。該ロックおよびアンロック装置は、該作動要素（２）を作動させたとき、変形し、該ロック要素を変位させる変形要素（４）を有することを特徴とする。
2010501745.tif 000002
【特許請求の範囲】
【請求項１】
変位可能に装架された少なくとも一つのロック要素（７，７’）と該ロック要素を作動させる作動要素（２）を有するロックおよびアンロック装置（１）であって、該作動要素（２）を作動させたとき、変形し、該ロック要素を変位させる変形要素（４）を有することを特徴とする、ロックおよびアンロック装置（１）。
【請求項２】
前記変形要素は、リーフスプリング叉は支えスプリング（２）であることを特徴とする、請求項１に記載のロックおよびアンロック装置（１）。
【請求項３】
該スプリング（４）の少なくとも一つの端が好ましくは前記ロック要素（７，７’）に装架されたことを特徴とする、前記請求項１叉は２に記載のロックおよびアンロック装置（１）。
【請求項４】
前記変形要素がそれに沿って変形を起こす案内手段を有することを特徴とする、前記請求項のいずれかに記載のロックおよびアンロック装置（１）。
【請求項５】
前記作動要素（２）が押しボタンであることを特徴とする、前記請求項のいずれか一つに記載のロックおよびアンロック装置（１）。
【発明の詳細な説明】
【技術分野】
【０００１】
本発明は、少なくとも一つの変位可能に装架されたロック要素とそのロック要素を作動させる作動要素からなるロックおよびアンロック装置に関する。
【背景技術】
【０００２】
一般的なロックおよびアンロック装置は、例えばＥP１５３８２８８およびDE４１３９７４０C1により知られている。そこに開示された機構は比較的複雑であり、部品点数が多く生産にコストがかかる。
【先行技術文献】
【特許文献】
【０００３】
ＥP１５３８２８８
DE４１３９７４０C1
【発明の概要】
【０００４】
従って、本発明の目的は、従来技術の問題のないロックおよびアンロック装置を提供することである。
【０００５】
上記目的は、少なくとも一つの変位可能に装架されたロック要素と、そのロック要素を作動させる作動要素であってその作動要素を作動させると、変形してロック要素を変位させる変形要素から成るロックおよびアンロック装置によって達成される。
【０００６】
本発明によるロックおよびアンロック装置が、非常に少ない部品から信頼性をもって製造できることは、当業者にとり予期せず驚くべきことである。本発明によるロックおよびアンロック装置は、高いコスト効率により生産でき、作動が容易である。
【０００７】
本発明によるロックおよびアンロック装置は、ロックとアンロックが必要な自動車のいかなる部分にも適している。特に、ヒンジ式の蓋は本発明によるロックおよびアンロック装置により可逆的に閉じることができる。ヒンジ式蓋は例えばグラブ室のヒンジ式蓋などが考えられる。
【０００８】
本発明に従えば、ロックおよびアンロック装置は、少なくとも一つ、好ましくは二つの変位可能に装架されたロック要素を有する。このロック要素は、例えばロックされるべきヒンジ式蓋に固定され、ロック状態では車両の内装トリム及び／叉はボデーと協働する。しかし、ロック要素をボデー及び／叉は自動車の内装トリムに配置することも可能である。
【０００９】
さらに、このロックおよびアンロック装置は、作動要素を有しており、この要素によりロック要素が作動される。好ましくは、この作動要素は、押しボタンである。
【００１０】
さらに、本発明に従えば、ロックおよびアンロック装置は、作動要素を作動させると、変形してロック要素を変位させる変形要素を有する。この発明における「変形」の意味は如何なる形の変化をも意味している。
【００１１】
好ましくは、変形要素は、リーフスプリング叉は支えスプリングである。
【００１２】
さらに好ましくは、スプリングの少なくとも一つの端は、変位可能にロック要素に装架されている。その結果、スプリングが変形するとロック要素が移動する。
【００１３】
好ましくは、このロックおよびアンロック装置は、案内手段を有しており、それに沿って変形手段が変形される。
【図面の簡単な説明】
【００１４】
以下、図１及び２を参照して本発明を説明する。この説明は単なる一例に過ぎず、本発明の全般的な概念を制限するものではない。
【図１】図１は、ロック状態のロックおよびアンロック装置の実施例を示している。
【図２】図２は、図１のロックおよびアンロック装置のアンロック状態を示している。
【発明を実施するための形態】
【００１５】
図１には、本発明によるロックおよびアンロック装置が示されている。この例においては、ロックおよびアンロック装置は、押しボタン２により作動されるグラブ室のようなものの装置である。この押しボタン２は、内方に向けて突出するボルト３を有し、その上にピン５が直角方向に突き出るように配置されている。このピン５は少なくとも部分的に支えスプリング４により囲まれており、その二つの端が、可動ベアリングとして、それぞれの押し棒７、７’に変位可能に連結されている。この押し棒７、７’は水平方向に変位可能に装架され、グラブ室のヒンジ式蓋のロックおよびアンロックを起こさせる。さらに、この発明の装置は、この例ではマンドレルとして示される案内手段６、６’を有しており、支えスプリングをその位置に安定させ、以下に詳細に示されるように支えスプリングの変形を導く。
【００１６】
この発明のロックおよびアンロック装置のアンロック時の作用が図２に示されている。垂直の矢印により表されているように、押しボタンは下方に押される。同時にピン５は支えスプリングを押し、案内手段６，６’によりスプリングの脚が共に曲げられる。支えスプリングのこの動きは二つの水平矢印により表されているように押し棒７，７’に伝えられて、その結果共に引かれ、グラブ室のヒンジ式蓋のアンロックを起こさせる。押しボタンが離されると、スプリング４がピン５を押し、ボルト３を上に押し、支えスプリング４は図１に示される位置に開放される。このスプリングの動きは押し棒７，７’に伝えられ、押し棒はロック位置に置かれる。押し棒は互いに独立に固定するように付勢されてグラブ室を再び係止しても良い。
【符号の説明】
【００１７】
１：ロックおよびアンロック装置
２：作動要素、押しボタン
３：押しボタンのボルト
４：変形要素、リーフスプリング、支えスプリング
５：ピン
６、６’：案内手段、支持マンドレル
７、７’：ロック要素、押し棒
【図１】
2010501745.tif 000003
【図２】
2010501745.tif 000004
【国際調査報告】
2010501745.tif 000005
2010501745.tif 000006
2010501745.tif 000007
2010501745.tif 000008
2010501745.tif 000009
2010501745.tif 000010
(57)【要約】  本発明の液体容器は、両側方に各々の受容部を有する作動部が設けられ、前記各々の受容部に充填された内容物を排出するために排出部が形成され、前記各々の排出部が、各々の受容部のみに連通されており、前記液体容器を受容部方向に折り畳んだとき、各々の排出部を破壊され易くするために切断線が形成され、前記液体容器を折り畳んだとき、圧迫を加えると軟質の受容部が平たく折り曲げられて、破壊された排出部の排出孔から内容物が排出されるように構成されてなるものである。
2010523426.tif 000002
【特許請求の範囲】
【請求項１】
両側方に各々の受容部を有する作動部が設けられた液体容器であって、
前記各々の受容部に入った内容物は排出のために排出部が形成され、
前記各々の排出部は各々の受容部のみに連通されており、
前記液体容器を受容部方向に折り畳んだとき、各々の排出部が破壊され易くする切断線が形成され、
前記液体容器を折り畳んだ後、圧迫を加えると軟質の受容部が平たく折り曲げられて、破壊された排出部の排出孔から内容物が排出されるように構成されてなる液体容器。 
【請求項２】
前記複数の作動部を有する複数個の液体容器が任意の側方に連結されてなる請求項１記載の液体容器。
【請求項３】
前記液体容器の連結部において区画切断線が形成されてなる請求項２記載の液体容器。
【請求項４】
両側方に排出部を媒介にした連通された受容部を有する作動部が設けられ、前記作動部が、中央の区画切断線を挟んで複数個以上連結され、
前記液体容器を半分に折り畳まれたときに、排出部が破壊されるように切断線が形成され、
前記作動部を有する液体容器が、複数個構成されてなる液体容器。
【請求項５】
前記複数個の液体容器が、中央の区画切断線によって区分されるように構成されてなる請求項４記載の液体容器。
【発明の詳細な説明】
【技術分野】
【０００１】
本発明は、液体容器に関し、より詳しくは、異種物質が入った液体容器を半分に折りながら圧力を加えると、各々の異種物質が排出されるようにしたスティック形包装方法に関し、一回に二つ以上の内容物を排出することができるようにすることをその目的にする。
【０００２】
そして、内容物を混合すると物性の変化を起こす材料を区分し保管することにより、その問題を克服することを他の目的にする。
【背景技術】
【０００３】
一般に半分に折られるスティック形包装方法は、ソース容器に広く使用されている。特に半分に折った後、圧迫を加えると軟質の受容部にあった内容物が排出されるので、多く常用化されている。
【０００４】
しかし、その受容部には一つの内容物だけを入れるしかなく、一例に砂糖をミルクと同時に押し出すことができないので、消費者は各々砂糖とミルクを備えなければならないという短所があった。
【発明の概要】
【発明が解決しようとする課題】
【０００５】
本発明の目的は、一回の動作に二つ以上の内容物を排出することにある。
【０００６】
本発明の他の目的は、混合して流通すると化学反応を起こしたり、変質され易い内容物を複数の受容部に分離保管し、使用時はワンタッチ方式で同時に内容物を排出することができることにある。
【課題を解決するための手段】
【０００７】
前記目的を実現するために本発明による液体容器は、作動部を複数個設け、前記複数個の作動部には軟質の受容部に各々の内容物が分離され、入れられるようにした後、前記液体容器を切断線に区画された部位を中心に半分に折りながら圧迫を加えると、各々の受容部に入った異種物質が、該当する排出部が破壊されながら形成された排出孔を通じて排出されるように構成する。
【発明の効果】
【０００８】
前述のように本発明によると、液体ソースや、各種の添加剤または化学製品の用途に適用でき、特に一回の動作で二つ以上の製品を排出することができるので、消費促進が予想される。
【図面の簡単な説明】
【０００９】
【図１】液体容器の好ましい一つの斜視図を示す図である。
【図２】使用状態を示す図である。
【図３】本発明の他の実施例を示す図である。
【発明を実施するための形態】
【００１０】
以下、本発明の好ましい実施例を添付した図面に基づいて詳細に説明する。
【００１１】
図１は本発明の好ましい一実施例を示す図面として、異種物質を受容する液体容器１は第１受容部１１を有する第１作動部１０と、第２受容部２１を有する第２作動部２０とに区分され、前記各々の受容部に入った内容物を排出する排出路である第１および第２排出部１２、２２を各々の受容部に連通するように構成する。
【００１２】
そして、前記各々の第１排出部１２、２２は液体容器１が半分に折られると、その第１および第２排出部１２、２２が開くように横断方向の切断線３０を形成する。
【００１３】
このような本発明の使用時には、図１のような状態で各々の受容部の方向に液体容器１を折ると、比較的硬い単段形上部面が切断線３０によって折られ、同時に軟質の第１および第２受容部１１、２１に入った内容物が、破壊された第１および第２排出部１２、２２の排出孔を通じて排出され、その状態が図２に示されている。
【００１４】
他の実施例として図３は、各々の長さ方向に第１受容部１１と第２受容部２１を有する第１および第２作動部１０、２０を形成してその中央を区画切断線３１に構成する。
【００１５】
そして、前記各々の第１および第２受容部１１、２１は中央の第１、２排出部１２、２２によって連通している。
【００１６】
したがって、前記液体容器１を半分に折ると、各々の第１、２排出部１２、２２が開きながら異種物資が排出される。
【００１７】
そして、図１の場合、液体容器１が、縦方向に複数個連結され、その中央に区画切断線が形成され、この時、同時に四種以上の内容物を排出できる特徴がある。
【産業上の利用可能性】
【００１８】
本発明は液体ソースや、各種の添加剤など、一回に二種以上の内容物を排出しようとする用途に用いることができる。
【符号の説明】
【００１９】
１    液体容器
１１  第１受容部
１０  第１作動部
２０  第２作動部
１２、２２  第１、２排出部
３０  切断線
【図１】
2010523426.tif 000003
【図２】
2010523426.tif 000004
【図３】
2010523426.tif 000005
【国際調査報告】
2010523426.tif 000006
2010523426.tif 000007
(57)【要約】  γ線照射の曝露による劣化に対して耐性を示すポリマー組成物であって、ＰＶＤＦと、ポリマー組成物の総重量に基づいて１から２０重量％のＨＤＰＥとを含む、組成物。【特許請求の範囲】
【請求項１】
γ線照射への曝露によって生じる劣化に対して耐性を示すポリマー組成物であって、ポリビニリデンフルオライド（ＰＶＤＦ）と、前記ポリマー組成物の総重量に基づいて約１から約２０重量％の高密度ポリエチレン（ＨＤＰＥ）との混合物を含む、組成物。
【請求項２】
ポリマー組成物の総重量に基づいて約１から５重量％のＨＤＰＥを含有する、請求項１のポリマー組成物。
【請求項３】
請求項１の組成物の溶融ブレンドを圧力形成することによって形成される製品。
【請求項４】
請求項１の組成物の溶融ブレンドを圧力形成することによって形成される製品であって、溶融ブレンドがポリマー組成物の総重量に基づいて約１から５重量％のＨＤＰＥを含有する、製品。
【請求項５】
ポリマー組成物を形成する工程であって、組成物がγ線照射への曝露によって生じる劣化に耐性を示し、ポリビニリデンフルオライド（ＰＶＤＦ）と、前記ポリマー組成物の総重量に基づいて約１から約２０重量％の高密度ポリチレン（ＨＤＰＥ）との混合物を含む、工程と；組成物を溶融し、１以上の部品に形成する工程と；部品を最終製品に組立て、最終製品を滅菌するのに十分な強度のγ線照射に供する工程とを含む、ＰＶＤＦ系装置をγ線滅菌する方法。
【請求項６】
γ線照射が約２５から約４５キログレイの曝露である、請求項５の方法。
【請求項７】
混合物がブレンドである、請求項１の組成物。
【請求項８】
混合物がアロイである、請求項１の組成物。
【発明の詳細な説明】
【技術分野】
【０００１】
関連出願の相互参照
本出願は、この内容全体が本明細書に参考として組み込まれる２００８年６月１２日に出願された米国仮特許出願第６０／９３４，２６１号の優先権を主張する。
【０００２】
本発明は、γ線耐性ポリマー組成物に関する。より詳細には、本発明はＰＶＤＦ系のγ線耐性ポリマー組成物に関する。
【背景技術】
【０００３】
現在、フィルタハウジングのようなポリマーハウジングまたはフィルタ支持具のような支持具基材は、一般にＰＶＤＦ（ビニリデンフルオライドのホモポリマー）から、例えば射出成形により形成される。製造後、こうしたＰＶＤＦ部品を含有するポリマーハウジングにおける生物汚染レベルを低減するために、通常、これらを、例えば水酸化ナトリウムを用いてまたはγ線照射に曝すことによって滅菌する必要がある。滅菌剤として水酸化ナトリウムを用いる場合、装置を再使用する前に水でフラッシングすることによって装置から水酸化ナトリウムが完全に除去されていることを確実にする必要がある。こうした要件は、１以上の部品が小さな隙間を有するような場合には困難になることがある。反対に、γ線照射ではこの問題がない。
【０００４】
ＰＶＤＦを利用する場合、ＰＶＤＦの黄色化からも明らかなように、γ線照射がＰＶＤＦを劣化することがわかっている。こうした劣化は、溶出性副生成物を形成することがあり、こうした副生成物はろ過の場合のように望ましくないことが多い。関連する色変化自体も望ましくない。
【発明の概要】
【発明が解決しようとする課題】
【０００５】
従って、水酸化ナトリウムでの滅菌を必要とせず、γ線照射への曝露時に劣化（変色）しない成形可能なＰＶＤＦ組成物を提供することが所望されている。こうしたＰＶＤＦ組成物では、溶出性副生成物の形成を回避しつつ、γ線照射で滅菌できる。
【課題を解決するための手段】
【０００６】
本発明によれば、ＰＶＤＦおよびＨＤＰＥ（高密度ポリエチレン）のブレンドもしくはアロイまたはコンパウンドがγ線照射に曝された場合に劣化しないことを見出した。さらに、ＰＶＤＦおよびＨＤＰＥのブレンドまたはアロイは射出成形できる。
【０００７】
ＰＶＤＦおよびＨＤＰＥのブレンドもしくはアロイまたはコンパウンドは、ＰＶＤＦの粒子およびＨＤＰＥの粒子を混合し、得られた均質混合物をＰＶＤＦおよびＨＤＰＥの溶融温度を超える温度に加熱することによって形成される。次いで得られた溶融ブレンドを例えば押出または射出成形によって形成できる。
【０００８】
また、ＰＶＤＦを含有する製品を製造し、γ線滅菌する方法は、ポリマー組成物を形成する工程であって、この組成物がγ線照射への曝露によって生じる劣化に耐性を示し、ポリビニリデンフルオライド（ＰＶＤＦ）と、前記ポリマー組成物の総重量に基づいて約１から約２０重量％の高密度ポリチレン（ＨＤＰＥ）との混合物を含む、工程と；この組成物を溶融し、１以上の部品に形成する工程と；この部品を最終製品に組立て、この最終製品を滅菌するのに十分な強度のγ線照射に供する工程とによって、本発明により達成できる。
【発明を実施するための形態】
【０００９】
ＰＶＤＦ系ポリマー組成物は、ＰＶＤＦおよびポリマー組成物の総重量に基づいて約１から２０重量％、好ましくは約１重量％から約５重量％のＨＤＰＥを含む。驚くべきことに、こうしたＰＶＤＦ組成物は、滅菌γ線照射に曝すことによって生じる劣化に対して耐性を示すことを見出した。滅菌γ線照射は、一般に約２５から約４５キログレイの曝露である。
【００１０】
本発明に利用するＨＤＰＥは、好ましくは約１００，０００から約５００，０００の分子量を有する。
【００１１】
ＰＶＤＦおよびＨＤＰＥのブレンドは、均質混合物を形成するためにこれらの粒子を混合することによって製造される。次いで均質混合物は、ＰＶＤＦおよびＨＤＰＥの両方の融点を超える温度に加熱される。ＰＶＤＦは、一般に３８０から５５０°Ｆの範囲内の融点を有する。ＨＤＰＥは一般に、３００から５００°Ｆの範囲内の融点を有する。所望の溶融ブレンドが生成した後、このブレンドを例えば押出または射出成形などによって形成でき、膜基材、ろ過カートリッジハウジング、取り付け具、キャップなどのような所望の設計を有する部品を形成する。
【００１２】
本発明のＰＶＤＦおよびＨＤＰＥの組成物は、個々の樹脂を微粉末に粉砕し、これらの粉末を適切な比で共に混合し、次いで粉末を射出成形に使用するためのペレットに溶融処理することによって形成できる。この組成物は、２つの樹脂が、実際に相溶性の樹脂になることなく、巨視的なレベルで均質な状態を保つと予想される点において、本質的にアロイであると考えられる。これは、不相溶性ポリマーのブロックを有するブロックコポリマーにおけるミクロ相分離に類似する。
【００１３】
本発明のポリマー組成物はまた、場合により、充填剤、着色顔料、膨張剤または発泡剤、他の処理添加剤などのような非溶出性である従来の添加剤を含有することができる。
【００１４】
次の実施例は本発明を例示するものであり、本発明を限定しようとするものではない。
【実施例１】
【００１５】
高密度ポリエチレン（ＨＤＰＥ）は変色がなくγ線に対して安定であることは周知である。ＨＤＰＥ製の成形製品は、γ線照射に曝された場合に変色がなく、γ線に対して安定であった。無着色ＰＶＤＦをγ線照射に曝した場合は、白色から黄色への変色が見られた。
【００１６】
反対に、無着色ＰＶＤＦおよび無着色ＨＤＰＥの混合物を成形することによって形成されたろ過カートリッジのエンドキャップは、γ線照射に曝された後に色の変化がなかった。
【国際調査報告】
2010529278.tif 000002
2010529278.tif 000003
(57)【要約】  一体型アバットメントブロックは、ブロック内に組み込まれた内側部と、従属支柱とを有する。
2010518991.tif 000002
【特許請求の範囲】
【請求項１】
内側部および従属支柱を備えるアバットメントを有する一体型アバットメントブロックであって、前記内側部は前記ブロック内部に固定され、前記支柱は、患者に埋め込まれた歯根部材に固定するよう構成かつ配置された前記ブロックの下に伸びている、一体型アバットメントブロック。
【請求項２】
前記ブロックが、通常歯状形状をしている、請求項１に記載の一体型アバットメントブロック。
【請求項３】
組込みアバットメント内側部および従属支柱を備える一体型アバットメントブロックを歯状形状にフライス加工するステップと、埋め込まれた歯根部材へ支柱を固定するステップとを含む、人工歯の埋め込み方法。
【発明の詳細な説明】
【技術分野】
【０００１】
関連出願の相互参照
本出願は、２００７年２月２２日にＶｉｎｃｅｎｔ  Ｊ．  Ｍｏｒｇａｎが出願した一体型歯科アバットメントブロックと題する出願の利益を主張するとともに、仮出願第６０／９０２，６２６号明細書の内容を参照として組み込む。
【０００２】
本発明は、一般に歯科インプラントに関し、特に一体型歯科アバットメントブロックに関する。
【背景技術】
【０００３】
背景については、米国特許第５，８２７，０６２号を参照のこと。
【先行技術文献】
【特許文献】
【０００４】
【特許文献１】米国特許第５，８２７，０６２号
【発明の概要】
【発明が解決しようとする課題】
【０００５】
本発明の目的は、改善された歯科インプラントおよびインプラントの方法を提供することである。
【課題を解決するための手段】
【０００６】
本発明によると、一体型アバットメントブロックは、内側部と従属支柱とを備えるアバットメントを有する。内側部は、ブロックの内部に固定され、患者に埋め込まれた歯根部材に固定されるように構成かつ配置されたブロックの下に伸びる支柱を備えている。ブロックは、通常歯状の形状とすることができる。
【０００７】
人工歯をインプラントする方法は、組込みアバットメント内側部と従属支柱とを有する一体型アバットメントブロックを歯の形状にフライス加工するステップと、インプラントされた歯根部材に支柱を固定するステップとを含む。
【０００８】
本発明の他の特徴、目的、長所は、添付図を参照しながら後述の詳細な説明を読むことにより明らかになるだろう。
【図面の簡単な説明】
【０００９】
【図１】本発明の実施形態の正面図である。
【図２】図１の実施形態の下面を図示した斜視図である。
【図３】アバットメントと複合材料の関係の理解に有用な、図１および図２の一体型アバットメントブロックの線図である。
【図４】一体型歯科アバットメント人工歯の斜視図である。
【発明を実施するための形態】
【００１０】
図、特に図１および図２を参照すると、本発明の実施形態の正面図および斜視図が示されている。アバットメント１１は、選ばれた形態を有する最終的な歯冠にフライス加工によって変形できる状態のブロック１２内に固定されている。次いでアバットメントは、既知の技術に従って患者に埋め込まれた歯根に固定される。
【００１１】
図３を参照すると、異なる要素間の構造的関係の理解に有用な線図が示されている。アバットメント１１は、ブロック１２に固定された状態で示されている。ブロック１２は、通常、複合材料、および／または、ジルコニアおよび酸化アルミニウムまたは他の適当な材料を含むセラミックから成る。さらに、ブロックは、手動または自動化されたプロセスにより最終的な歯冠またはコーピングの形にフライス加工することができる。好ましい美観を得るために材料の陰影を調整することができる。またブロックは、通常図４に示すような歯状形状とすることができる。
【００１２】
アバットメント１１は、通常チタンから、またはジルコニアを含む他の材料から作られる従属支柱１１Ａを有して形成される。支柱１１Ａは、患者に埋め込まれた歯根部材に固定するための、ロッキングテーパー接続部または他の適当な接続部を含むことができる。アバットメント１１は、ブロック１２に組み込まれた、チタンから、またはジルコニアを含む他の材料から作られる組込み部分１１Ｂを含むことができる。
【００１３】
図４を参照すると、従属支柱を有するブロック１２’が一般的に歯状形状であり、従属支柱１１’を備える実施形態の斜視図が示されている。
【００１４】
本発明は、好ましくは、実質的に置き換える歯に相当する人工歯に成形するためにフライス加工した後に、インプラントされた歯根部材に固定できる一体型歯科アバットメントブロックを提供するという点で好都合である。
【００１５】
一体型歯科アバットメントブロックのための新規な装置および技術が説明された。当業者が、本発明の概念から離れることなく、本出願に開示した装置及び技術を多くの使用に供しおよび改良できることは明らかである。したがって、本発明は、本出願に開示され、かつ添付の特許請求の範囲の精神と技術的範囲により限定される、それぞれおよびすべての新しい概念と新しい概念の組合せとを包含するものとして解釈されるべきである。
【符号の説明】
【００１６】
１１  アバットメント
１１Ａ  従属支柱
１１Ｂ  組込み部分
１２  ブロック
【図１】
2010518991.tif 000003
【図２】
2010518991.tif 000004
【図３】
2010518991.tif 000005
【図４】
2010518991.tif 000006
【国際調査報告】
2010518991.tif 000007
2010518991.tif 000008
2010518991.tif 000009